【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
第一の映像信号と第一の音声信号とを含む第一のディジタル情報信号を受信するディジタル情報信号受信手段と、
ネットワークを経由して、他の通信装置から第二の映像信号と第二の音声信号とを含む第二のディジタル情報信号を受信し、前記他の通信装置に第三の映像信号と第三の音声信号とを含む第三のディジタル情報信号を送信するテレビ電話通信手段と、
前記ディジタル情報信号受信手段で受信した、前記第一の映像信号および前記第一の音声信号と、前記テレビ電話通信手段で受信した、前記第二の映像信号および前記第二の音声信号とを映像および音声として出力する出力手段と、
前記ディジタル情報信号受信手段、前記テレビ電話通信手段、および前記出力手段を制御する制御手段と、
を備え、
前記制御手段は、
前記ディジタル情報信号受信手段により受信した前記第一のディジタル情報信号を前記出力手段より映像および音声として出力している場合に前記他の通信装置からのテレビ電話通信の着呼を受け、テレビ電話通信を開始するときには、前記テレビ電話通信手段により受信した前記第二のディジタル情報信号を前記出力手段より映像および音声として出力するように制御し、
テレビ電話通信を終了したときには、前記テレビ電話通信手段により受信した前記第二のディジタル情報信号を前記出力手段より映像および音声として出力するのを停止し、前記ディジタル情報信号受信手段により受信した前記第一のディジタル情報信号を前記出力手段より映像および音声として出力するように制御することを特徴とするディジタル情報信号送受信装置。
【請求項２】
請求項１に記載のディジタル情報信号送受信装置において、
前記制御手段は、
前記ディジタル情報信号受信手段により受信した前記第一のディジタル情報信号を前記出力手段より映像および音声として出力している場合に、前記他の通信装置からのテレビ電話通信の着呼を受け、テレビ電話通信を開始した後に該テレビ電話通信を終了したときには、
前記第一のディジタル情報信号を、テレビ電話通信を開始したときに出力していた位置の第一のディジタル情報信号から、映像および音声として前記出力手段から出力するように制御することを特徴とするディジタル情報信号送受信装置。
【請求項３】
請求項２に記載のディジタル情報信号送受信装置において、
さらに、
受信した前記第一のディジタル情報信号を記録媒体に記録再生する記録再生手段を備え、
前記出力手段は、前記記録再生手段により再生された前記第一のディジタル情報信号を映像および音声として出力し、
前記制御手段は、
前記ディジタル情報信号受信手段により受信した前記第一のディジタル情報信号を前記出力手段より映像および音声として出力している場合に、前記他の通信装置からのテレビ電話通信の着呼を受け、テレビ電話通信を開始するときには、前記記録再生手段を、前記第一のディジタル情報信号を前記記録媒体に記録するように制御し、
テレビ電話通信を終了したときには、前記記録再生手段を、テレビ電話通信を開始したときに前記第一のディジタル情報信号の記録を開始した位置から前記第一のディジタル情報信号を再生するように制御し、
前記記録再生手段により前記記録媒体から再生した前記第一のディジタル情報信号を前記出力手段より映像および音声として出力するように制御することを特徴とするディジタル情報信号送受信装置。
【請求項４】
請求項１から請求項３のいずれかに記載のディジタル情報信号送受信装置において、
前記第一の映像信号と前記第一の音声信号と前記第二の映像信号と前記第二の音声信号とはディジタル圧縮符号化された信号であり、前記出力手段は、前記第一の映像信号と前記第一の音声信号、または、前記第二の映像信号と前記第二の音声信号とを伸張して映像および音声として出力することを特徴とするディジタル情報信号送受信装置。
【請求項５】
請求項４に記載のディジタル情報信号送受信装置において、
前記ディジタル情報信号受信手段は、前記第一のディジタル情報信号として、少なくともディジタル圧縮符号化された前記第一の映像信号と前記第一の音声信号が多重されたディジタル情報信号を、ネットワークを経由して受信することを特徴とするディジタル情報信号送受信装置。
【請求項６】
請求項４に記載のディジタル情報信号送受信装置において、
前記ディジタル情報信号受信手段は、前記第一のディジタル情報信号として、少なくともディジタル圧縮符号化された前記第一の映像信号と前記第一の音声信号が多重され変調されたディジタル放送波信号を受信し、復調することを特徴とするディジタル情報信号送受信装置。
【請求項７】
第一の映像信号と第一の音声信号とを含む第一のディジタル情報信号を受信し、また他の通信装置から第二の映像信号と第二の音声信号とを含む第二のディジタル情報信号を受信し、前記他の通信装置に第三の映像信号と第三の音声信号とを含む第三のディジタル情報信号を送信してテレビ電話通信を行うディジタル情報信号送受信方法において、
第一のディジタル情報信号を受信し、映像および音声として出力している場合に、前記他の通信装置からのテレビ電話通信の着呼を受け、テレビ電話通信を開始するときには、前記第二のディジタル情報信号を映像および音声として出力し、
テレビ電話通信を終了した場合には、前記第二のディジタル情報信号を映像および音声として出力するのを停止し、前記第一のディジタル情報信号を映像および音声として出力することを特徴とするディジタル情報信号送受信方法。
【手続補正２】
【補正対象書類名】明細書
【補正対象項目名】発明の名称
【補正方法】変更
【補正の内容】
【発明の名称】ディジタル情報信号送受信装置、およびディジタル情報信号送受信方法
【手続補正３】
【補正対象書類名】明細書
【補正対象項目名】００７２
【補正方法】変更
【補正の内容】
【００７２】
この場合には、プロセッサ１２は、電源をオンするとともに、着呼通知がリモコン７の「テレビ電話」ボタン７ｄが操作されたのと同等のものとし、図５に示す「電話の処理」での項番２からの処理を実行する（電話処理）。そして、リモコン７の「停止」ボタン７ｎが操作され、あるいは、相手側のテレビ電話機能付きテレビ受像機１’のリモコン７’の「停止」ボタン７ｎ’が操作されて通話が終了し、テレビ電話信号が所定期間受信されないと、プロセッサ１２は、テレビ電話機能モードが終了したものと判定し、デコーダ１１のテレビ電話用デコード機能を停止させ、これとともに、図５に示す「電話の処理」での項番６のように、カメラ４，マイク５及びエンコーダ１８を停止させる。
【手続補正４】
【補正対象書類名】明細書
【補正対象項目名】００７７
【補正方法】変更
【補正の内容】
【００７７】
そして、リモコン７の「停止」ボタン７ｎが操作され、あるいは、相手側のテレビ電話機能付きテレビ受像機１’のリモコン７’の「停止」ボタン７ｎ’が操作されて通話が終了し、テレビ電話信号が所定期間受信されないと、プロセッサ１２は、テレビ電話機能モードが終了したものと判定し、デコーダ１１のテレビ電話用デコード機能を停止させ、これとともに、図５に示す「電話の処理」での項番６のように、カメラ４，マイク５及びエンコーダ１８を停止させる。
【手続補正５】
【補正対象書類名】明細書
【補正対象項目名】００８２
【補正方法】変更
【補正の内容】
【００８２】
そして、リモコン７の「停止」ボタン７ｎが操作され、あるいは、相手側のテレビ電話機能付きテレビ受像機１’のリモコン７’の「停止」ボタン７ｎ’が操作されて通話が終了し、テレビ電話信号が所定期間受信されないと、プロセッサ１２は、テレビ電話機能モードが終了したものと判定し、デコーダ１１のテレビ電話用デコード機能を停止させ、これとともに、図５に示す「電話の処理」での項番６のように、カメラ４，マイク５及びエンコーダ１８を停止させる。